(57)【特許請求の範囲】
【請求項１】
電源と、第１の記憶手段と、第２の記憶手段と、制御手段とを備えたメモリ制御装置において、
前記制御手段は、
前記第１の記憶手段に記憶された所定のデータを、前記第２の記憶手段または前記メモリ制御装置とは異なる他の装置に備えられた記憶手段に転送する第１の転送機能と、
前記第１の記憶手段が未使用の記憶手段に交換されたことを、前記第１の記憶手段に特定のファイルが記憶されているか否かに基づいて判断する判断機能と、
前記電源が投入された際に、前記判断機能により前記第１の記憶手段が前記未使用の記憶手段に交換されたと判断された場合には、前記第２の記憶手段または前記他の装置に備えられた記憶手段に転送され記憶されている前記所定のデータを前記未使用の記憶手段に転送する第２の転送機能と、
前記電源が投入された際に、前記判断機能により前記第１の記憶手段が前記未使用の記憶手段に交換されていないと判断された場合には、前記第２の記憶手段または前記他の装置に備えられた記憶手段に転送され記憶されている前記所定のデータを削除する削除機能と
を備えたことを特徴とするメモリ制御装置。
【請求項２】
電源と、第１の記憶手段と、第２の記憶手段と、表示部と、制御手段とを備えたメモリ制御装置において、
前記制御手段は、
前記第１の記憶手段に記憶された所定のデータを、前記第２の記憶手段または前記メモリ制御装置とは異なる他の装置に備えられた記憶手段に転送する第１の転送機能と、
前記第１の記憶手段が未使用の記憶手段に交換されたことを、前記第１の記憶手段に特定のファイルが記憶されているか否かに基づいて判断する判断機能と、
前記電源が投入された際に、前記判断機能により前記第１の記憶手段が前記未使用の記憶手段に交換されたと判断された場合には、前記第２の記憶手段または前記他の装置に備えられた記憶手段に転送され記憶されている前記所定のデータを前記未使用の記憶手段に転送する第２の転送機能と、
前記電源が投入された際に、前記判断機能により前記第１の記憶手段が前記未使用の記憶手段に交換されていないと判断された場合には、前記表示部に前記第１の記憶手段が交換されていない旨のメッセージを表示させる表示機能と
を備えたことを特徴とするメモリ制御装置。
【請求項３】
前記制御手段は、更に、前記他の装置から所定のコマンドが入力されたか否かを認識する認識機能を備え、
該認識機能により前記他の装置から所定のコマンドが入力された場合、前記第１の転送機能により前記所定のデータを前記他の装置に備えられた記憶手段に転送することを特徴とする請求項１または請求項２に記載のメモリ制御装置。
【請求項４】
前記所定のデータは、画データ及び該画データの管理情報であることを特徴とする請求項１〜請求項３のうち何れか一項に記載のメモリ制御装置。
【発明の詳細な説明】
【０００１】
【発明の属する技術分野】
本発明は、例えばファクシミリ装置等に装備されるメモリ制御装置に関するものである。
【０００２】
【従来の技術】
従来、ファクシミリ装置においては、装置の電源が停電等で切断された場合であっても、受信画データを消失することがないようにするため、受信画データをバックアップされた画像メモリに記憶させる構成が主流である。また、例えば短縮番号、発信元情報等のユーザに依存するデータは、不揮発性メモリ、例えばＳＲＡＭ（StaticＲＡＭ）に記憶させる構成が主流である。
【０００３】
【発明が解決しようとする課題】
しかしながら、ファクシミリ装置自体の小型化に伴って、画像メモリをバックアップするバックアップ電源自体も小型化されつつある。このため、画像メモリに記憶された受信画データは、所定時間だけバックアップされるのみである。換言すれば、受信画データのバックアップ時間は、バックアップ電源の容量に依存していた。
【０００４】
一方、近年の技術進歩に伴って、大容量の不揮発性メモリ、例えばフラッシュメモリ（ＥＥＰＲＯＭ）が安価に提供されつつある。しかも、カード型メモリにあっては、可搬性に優れているため、特にノート型パソコンやデジタルカメラ等に代表されるような分野においては、カード型メモリが急速に普及がしつつある。
【０００５】
ところが、不揮発性メモリであっても、フラッシュメモリのように寿命があるものもある。このため、寿命のあるメモリに所定回数（例えば２０万回程度）以上データの書き込みを実行しても、それ以上データの書き込みが実行できなくなる。従って、このような事態が発生した場合には、既に記憶しているデータを他のメモリ等に一旦退避させて、メモリを交換した後、退避されたデータを復旧させる必要がある。
【０００６】
本発明は、このような問題点に着目してなされたものであって、その目的は、寿命のあるメモリの交換時において、寿命のあるメモリに記憶されたデータを、交換後の寿命のあるメモリに受継することが可能なメモリ制御装置を提供することにある。
【０００７】
【課題を解決するための手段】
上記の目的を達成するために、請求項１に記載の発明では、電源と、第１の記憶手段と、第２の記憶手段と、制御手段とを備えたメモリ制御装置において、前記制御手段は、前記第１の記憶手段に記憶された所定のデータを、前記第２の記憶手段または前記メモリ制御装置とは異なる他の装置に備えられた記憶手段に転送する第１の転送機能と、前記電源が切断された後に前記第１の記憶手段が未使用の記憶手段に交換されたことを、前記第１の記憶手段に特定のファイルが記憶されているか否かに基づいて判断する判断機能と、前記電源が投入された際に、前記判断機能により前記第１の記憶手段が前記未使用の記憶手段に交換されたと判断された場合には、前記第２の記憶手段または前記他の装置に備えられた記憶手段に転送され記憶されている前記所定のデータを前記未使用の記憶手段に転送する第２の転送機能と、前記電源が投入された際に、前記判断機能により前記第１の記憶手段が前記未使用の記憶手段に交換されていないと判断された場合には、前記第２の記憶手段または前記他の装置に備えられた記憶手段に転送され記憶されている前記所定のデータを削除する削除機能とを備えた。
【０００８】
請求項２に記載の発明では、電源と、第１の記憶手段と、第２の記憶手段と、表示部と、制御手段とを備えたメモリ制御装置において、前記制御手段は、前記第１の記憶手段に記憶された所定のデータを、前記第２の記憶手段または前記メモリ制御装置とは異なる他の装置に備えられた記憶手段に転送する第１の転送機能と、前記電源が切断された後に前記第１の記憶手段が未使用の記憶手段に交換されたことを、前記第１の記憶手段に特定のファイルが記憶されているか否かに基づいて判断する判断機能と、前記電源が投入された際に、前記判断機能により前記第１の記憶手段が前記未使用の記憶手段に交換されたと判断された場合には、前記第２の記憶手段または前記他の装置に備えられた記憶手段に転送され記憶されている前記所定のデータを前記未使用の記憶手段に転送する第２の転送機能と、前記電源が投入された際に、前記判断機能により前記第１の記憶手段が前記未使用の記憶手段に交換されていないと判断された場合には、前記表示部に前記第１の記憶手段が交換されていない旨のメッセージを表示させる表示機能とを備えた。
【０００９】
請求項３に記載の発明では、請求項１または請求項２に記載のメモリ制御装置において、前記制御手段は、更に、前記他の装置から所定のコマンドが入力されたか否かを認識する認識機能を備え、該認識機能により前記他の装置から所定のコマンドが入力された場合、前記第１の転送機能により前記所定のデータを前記他の装置に備えられた記憶手段に転送する。
請求項４に記載の発明では、請求項１〜請求項３のうち何れか一項に記載のメモリ制御装置において、前記所定のデータは、画データ及び該画データの管理情報である。
【００１０】
なお、以下に述べる発明の実施の形態において、特許請求の範囲または課題を解決するための手段に記載の「メモリ制御装置」はファクシミリ装置１に相当し、同じく「記憶手段」はＰＣカード型メモリ２４に相当し、同じく「他の記憶手段」は画像メモリ１８又はパソコン２の記憶部３６に相当し、同じく「制御手段」はＭＰＵ１１、ＲＯＭ１２、及びＲＡＭ１３に相当する。
【００１１】
【発明の実施の形態】
以下に、本発明に係るメモリ制御装置をファクシミリ装置に具体化した一実施形態を図面を用いて説明する。
【００１２】
図１に示すように、通信ネットワークシステムは、電話回線Ｌを有するファクシミリ装置（ＦＡＸ）１、複数のパソコン２及びファクシミリ装置１と複数のパソコン２との間を相互に接続するハブ（ＨＵＢ）５、トランシーバ６、イーサネットケーブル７、ＡＵＩケーブル８及びツイストペアケーブル９から構成されている。
【００１３】
ファクシミリ装置１及びパソコン２は、ツイストペアケーブル９を介してハブ５に接続されている。ハブ５は、ＡＵＩケーブル８を介してトランシーバ６に接続されている。トランシーバ６は、イーサネットケーブル７を介して他のトランシーバ６と接続されている。ファクシミリ装置１及びパソコン２は、ツイストペアケーブル９に接続するためのインターフェースを内蔵している。ハブ５は、ツイストペアケーブル９とＡＵＩケーブル８とを接続するために設けられるとともに、通信ネットワークＴの接続において集線装置として機能する。トランシーバ６は、ＡＵＩケーブル８とイーサネットケーブル７とを接続するために設けられている。
【００１４】
図２に示すように、ファクシミリ装置１は、ＭＰＵ１１、ＲＯＭ１２、ＲＡＭ１３、読取部１４、記録部１５、操作部１６、表示部１７、画像メモリ１８、コーデック１９、モデム２０、ＮＣＵ２１、データ変換部２２、ＰＣカード用インターフェース２３、ＰＣカード型メモリ２４、通信プロトコル制御部２５及びネットワークインターフェース２６から構成されるとともに、各部１１〜２３，２５がバス２７を介してそれぞれ接続されている。
【００１５】
ＭＰＵ１１は、ファクシミリ装置１を構成する各部を制御する。ＲＯＭ１２は、ファクシミリ装置１を制御するためのプログラムを記憶する。ＲＡＭ１３は、不揮発性メモリ（例えばＳＲＡＭ）で構成され、ファクシミリ装置１の送受信に関する各種情報を一時的に記憶する。
【００１６】
読取部１４は、原稿上の画像データを読み取って、白黒２値のイメージデータを出力する。
記録部１５は、電子写真方式のプリンタよりなり、受信画データの記録動作やコピー動作において、受信された画データ或いは読取部１４にて読み取られた原稿の画データを記録紙上に記録する。
【００１７】
操作部１６は、電話番号を入力するためのテンキー（＊，＃キーを含む）１６ａ、短縮番号の登録又は短縮番号から発信するための短縮キー１６ｂ、予め登録した電話番号又はＦＡＸ番号をワンタッチで指定するためのワンタッチキー１６ｃ、原稿の読み取り動作を開始させるためのスタートキー１６ｄ、「通信（ＦＡＸ）」動作又は「コピー」動作を設定するための通信／コピーキー１６ｅ等の各種操作キーを備えている。ＬＣＤ等よりなる表示部１７は、ファクシミリ装置１の動作状態等の各種情報の表示を行う。
【００１８】
画像メモリ１８は、ＤＲＡＭ（Dynamic ＲＡＭ）またはＳＤＲＡＭ（Synchronous ＤＲＡＭ）で構成され、受信画データや読取部１４で読み取られて２値化され、コーデック１９でＭＭＲ方式に従って符号化された画データを一時的に記憶する。また、画像メモリ１８は、データ変換部２２でＭＭＲ方式に従って符号化されたパソコン２からの画データを一時的に記憶する。
【００１９】
コーデック１９は、読取部１４にて読み取られた画データを送信のためにＭＨ，ＭＲ，ＭＭＲ方式等に従って符号化（エンコード）する。また、コーデック１９は、受信画データを復号（デコード）する。
【００２０】
モデム２０は、ＩＴＵ−Ｔ勧告Ｔ．３０に従ったファクシミリ伝送制御手順及びＶ．１７，Ｖ．２７ｔｅｒ，Ｖ．２９等に従った送受信データの変調及び復調を行う。ＮＣＵ２１は、電話回線Ｌの閉結及び開放を行うとともに、相手先のＦＡＸ番号に対応したダイヤル信号の送出及び着信を検出する機能等を備えている。
【００２１】
データ変換部２２は、パソコン２から通信ネットワークＴを介して送出されてくるＴＩＦＦ、ＢＭＰ、ＧＩＦ、ＪＰＥＧ、ＰＣＸ、ＤＣＸ等の画データを、ＭＨ、ＭＲ、ＭＭＲ方式等の画データに変換する。また、これとは逆に電話回線Ｌを介して受信したＭＨ、ＭＲ、ＭＭＲ方式等の画データを、複数のパソコン２にとって扱い易い形式にするために、ＴＩＦＦ、ＢＭＰ、ＧＩＦ、ＪＰＥＧ、ＰＣＸ、ＤＣＸ等の画データに変換する。
【００２２】
ＰＣカード用インターフェース２３は、ＭＰＵ１１からの制御信号に基づいて、ＰＣカードアダプタ２３ａを介してＰＣカード型メモリ２４にアクセスする。ＰＣカード型メモリ２４は、「PC Card Standard」に準拠し、例えばフラッシュメモリ（ＥＥＰＲＯＭ）で構成され、ファクシミリ装置１に関する各種情報を記憶する。
【００２３】
通信プロトコル制御部２５は、ネットワークインターフェース２６を介して通信ネットワークＴ上の他の装置との間や、ネットワークインターフェース２６及び公衆回線網等を介して通信ネットワークＴ上以外の他の装置との間の通信を制御する通信プロトコルを備えている。具体的には、例えばＦＴＰ（ファイル転送プロトコル）、ＩＴＵ−Ｔ勧告Ｔ．３０すなわちファクシミリ伝送制御手順の通信プロトコル、サリュテーション（Salutation）・コンソーシアムで規定されたサリュテーション用通信プロトコル等を備えている。
【００２４】
図３に示すように、ネットワークインターフェース２６はネットワークコントローラ２８、シリアルインターフェースアダプタ２９及びトランシーバ３０から構成され、そのネットワークインターフェース２６にはハブ５が接続されている。なお、ネットワークインターフェース２６としては、例えば、ネットワークコントローラ２８、シリアルインターフェースアダプタ２９及びトランシーバ３０を１つのＬＳＩとして構成したものや、ネットワークコントローラ２８及びシリアルインターフェースアダプタ２９を１つのＬＳＩとして構成したもの等がある。
【００２５】
１０ＢａｓｅＴに対応したネットワークコントローラ２８は、データをファクシミリ装置１からツイストペアケーブル９上へ適正に送出するために、ＣＳＭＡ／ＣＤ（Carrier Sense Multiple Access with Collision Detection）方式に従って通信ネットワークＴのアクセス制御を行う機能を有している。シリアルインターフェースアダプタ２９は、ファクシミリ装置１からツイストペアケーブル９上へ送出されるデータをパラレルデータからシリアルデータに変換するとともに、ツイストペアケーブル９上に伝送されるシリアルデータをパラレルデータに変換してファクシミリ装置１へ出力する。上記ネットワークインターフェース２６におけるネットワークコントローラ２８及びシリアルインターフェースアダプタ２９は、ファクシミリ装置１内に一体的に組み込まれている。
【００２６】
図４に示すように、複数のパソコン２は、ＭＰＵ３１、ＲＯＭ３２、ＲＡＭ３３、操作部３４、表示部３５、記憶部３６、通信プロトコル制御部３７及びネットワークインターフェース３８から構成されるとともに、各部３１〜３７がバス３９を介してそれぞれ接続されている。
【００２７】
ＭＰＵ３１は、パソコン２を構成する各部を制御する。ＲＯＭ３２は、パソコン２を制御するための基本的なプログラムを記憶する。ＲＡＭ３３は、パソコン２に関する各種情報を一時的に記憶する。
【００２８】
操作部３４は、キーボード３４ａとマウス３４ｂとを備えている。ＬＣＤ等よりなる表示部３５は、キーボード３４ａ等から入力される文字等を表示する。ハードディスク等よりなる記憶部３６は、プログラムや各種データ等を記憶する。通信プロトコル制御部３７及びネットワークインターフェース３８は、前記ファクシミリ装置１における通信プロトコル制御部２５及びネットワークインターフェース２６と同様である。
【００２９】
次に、ファクシミリ装置１のＰＣカード型メモリ２４を交換するときの動作について、図５に示すフローチャートを用いて説明する。なお、この動作はＲＯＭ１２に記憶されたプログラムに基づき、ＭＰＵ１１の制御により実行される。以下、ファクシミリ装置１の動作について同じ。
【００３０】
図５に示すように、ステップＳ１においては、操作部１６又はパソコン２から所定コマンドが入力されたか否かが判断される。具体的には、操作部１６のテンキー１６ａからＰＣカード型メモリ２４に記憶されているファイルのデータ及びファイルの情報管理を転送するための所定コマンドが入力されたか否か、又はパソコン２からＦＴＰコマンドのサブコマンドであるｇｅｔコマンドが実行されたか否かに基づいて判断される。そして、所定コマンドが入力された場合は、ステップＳ２に移行する。
【００３１】
ステップＳ２においては、操作部１６又はパソコン２からの指示であるかを示す情報がＲＡＭ１３に記憶される。
ステップＳ３においては、ＲＡＭ１３に記憶された情報に基づいて、操作部１６から指示された所定コマンドであるか否かが判断される。操作部１６から指示された所定コマンドである場合は、ステップＳ４に移行する。一方、操作部１６から指示された所定コマンドでない場合、つまりパソコン２から指示された所定コマンドである場合は、ステップＳ６に移行する。
【００３２】
ステップＳ４においては、ＰＣカード型メモリ２４に記憶されているファイルのデータが、ＰＣカードアダプタ２３ａ及びＰＣカード用インターフェース２３を介して、画像メモリ１８に転送される。そして、そのデータが画像メモリ１８に記憶される。換言すれば、そのデータが画像メモリ１８に退避される。
【００３３】
ステップＳ５においては、ＰＣカード型メモリ２４に記憶されているファイルの管理情報（例えば、ディレクトリ構造等）が、ＰＣカードアダプタ２３ａ及びＰＣカード用インターフェース２３を介して、画像メモリ１８に転送される。そして、そのデータが画像メモリ１８に記憶される。換言すれば、そのデータが画像メモリ１８に退避される。
【００３４】
ステップＳ６においては、ＰＣカード型メモリ２４に記憶されているファイルのデータが、通信プロトコル制御部２５、ネットワークインターフェース２６及び通信ネットワークＴを介してパソコン２に転送される。そして、そのデータがパソコン２の記憶部３６に記憶される。換言すれば、そのデータがパソコン２の記憶部３６に退避される。
【００３５】
ステップＳ７においては、ＰＣカード型メモリ２４に記憶されているファイルの管理情報（例えば、ディレクトリ構造等）が、通信プロトコル制御部２５、ネットワークインターフェース２６及び通信ネットワークＴを介してパソコン２に転送される。そして、そのデータがパソコン２の記憶部３６に記憶される。換言すれば、そのデータがパソコン２の記憶部３６に退避される。
【００３６】
次に、ファクシミリ装置１の電源が投入されたときの動作について、図６に示すフローチャートを用いて説明する。
さて、ファクシミリ装置１の電源が投入されると、ファクシミリ装置１の初期化が行われた後、図６に示すステップＳ１１においては、ＰＣカード型メモリ２４にＩＤファイルが記憶されているか否かが判断される。ここで、ＩＤファイルとは、ＰＣカード型メモリ２４が未使用であるか否かを判断するためのものである。すなわち、ファクシミリ装置１の電源が切断された後、確実に未使用のＰＣカード型メモリ２４に交換されたか否かを判断するためのものである。そして、ＰＣカード型メモリ２４にＩＤファイルが記憶されている場合は、未使用のＰＣカード型メモリ２４に交換されていないと判断して、ステップＳ１６に移行する。一方、ＰＣカード型メモリ２４にＩＤファイルが記憶されていない場合は、未使用のＰＣカード型メモリ２４に交換されたと判断して、ステップＳ１２に移行する。
【００３７】
ステップＳ１２においては、ＲＡＭ１３に記憶された操作部１６又はパソコン２からの指示であるかを示す情報に基づいて、退避先が画像メモリ１８であるか否かが判断される。退避先が画像メモリ１８である場合は、ステップＳ１３に移行する。一方、退避先が画像メモリ１８でない場合、つまりパソコン２の記憶部３６である場合は、ステップＳ１４に移行する。
【００３８】
ステップＳ１３においては、画像メモリ１８に退避（記憶）されているファイルのデータ及びファイルの管理情報が、ＰＣカード用インターフェース２３及びＰＣカードアダプタ２３ａを介して、ＰＣカード型メモリ２４に転送される。そして、ファイルの管理情報に基づいて、ファイルのデータがＰＣカード型メモリ２４に記憶される。
【００３９】
ステップＳ１４においては、パソコン２の記憶部３６に退避（記憶）されているファイルのデータ及びファイルの管理情報が、通信ネットワークＴ、ネットワークインターフェース２６及び通信プロトコル制御部２５を介して、ＰＣカード型メモリ２４に転送される。そして、ファイルの管理情報に基づいて、ファイルのデータがＰＣカード型メモリ２４に記憶される。
【００４０】
ステップＳ１５においては、ＩＤファイルが未使用のＰＣカード型メモリ２４に書き込まれる。その結果、使用済みのＰＣカード型メモリ２４となる。
ステップＳ１６においては、前記ステップＳ１２と同様に、ＲＡＭ１３に記憶された操作部１６又はパソコン２からの指示であるかを示す情報に基づいて、退避先が画像メモリ１８であるか否かが判断される。退避先が画像メモリ１８である場合は、ステップＳ１７に移行する。一方、退避先が画像メモリ１８でない場合、つまりパソコン２の記憶部３６である場合は、ステップＳ１８に移行する。
【００４１】
ステップＳ１７においては、画像メモリ１８に退避（記憶）されているファイルのデータ及びファイルの管理情報とが削除される。すなわち、未使用のＰＣカード型メモリ２４に交換されていないため、画像メモリ１８に退避（記憶）されているファイルのデータ及びファイルの管理情報とが削除されるのである。
【００４２】
ステップＳ１８においては、パソコン２に対して未使用のＰＣカード型メモリ２４に交換されていない旨を示すメッセージが送出される。その結果、パソコン２の表示部３５の画面上には、未使用のＰＣカード型メモリ２４に交換されていない旨を示すメッセージが表示される。
【００４３】
以上、詳述したように本実施形態によれば、次のような作用、効果を得ることができる。
（１）操作部１６又はパソコン２から使用済みのＰＣカード型メモリ２４に記憶されているファイルのデータ及びファイルの情報管理を転送するための所定コマンドが入力されると、それらのデータが画像メモリ１８又はパソコン２の記憶部３６に転送されて記憶されている。換言すれば、使用済みのＰＣカード型メモリ２４に記憶されているファイルのデータ及びファイルの管理情報が、画像メモリ１８又はパソコン２の記憶部３６に退避されている。そして、ファクシミリ装置１の電源が切断された後に使用済みのＰＣカード型メモリ２４から未使用のＰＣカード型メモリ２４に交換されて電源が投入された場合には、ＲＡＭ１３に記憶された情報に基づいて、転送先の画像メモリ１８又はパソコン２の記憶部３６に記憶されているファイルのデータ及びファイルの管理情報が、未使用のＰＣカード型メモリ２４に転送されて記憶される。従って、使用済みのＰＣカード型メモリ２４を未使用のＰＣカード型メモリ２４に交換する場合であっても、ＰＣカード型メモリ２４に記憶されているファイルのデータ及びファイルの管理情報を、未使用のＰＣカード型メモリ２４に対して受継することができる。よって、寿命になったＰＣカード型メモリ２４を未使用のＰＣカード型メモリ２４に交換する場合であっても、寿命になったＰＣカード型メモリ２４に記憶されているファイルのデータ及びファイルの管理情報を、交換後の未使用のＰＣカード型メモリ２４に対して受継することができる。
【００４４】
（２）しかも、操作部１６からの指示では画像メモリ１８に、パソコン２からの指示ではパソコン２に、それぞれＰＣカード型メモリ２４に記憶されているファイルのデータ及びファイルの管理情報が転送されて記憶されている。このため、パソコン２に転送した場合には、ファイルのデータ及びファイルの管理情報を、パソコン２に搭載されたエディタ等のアプリケーションを用いて、編集することも可能である。従って、パソコン２を用いてファイルのデータ及びファイルの管理情報を編集する場合には、簡便に編集することができる。
【００４５】
（３）ＩＤファイルの有無に基づいて、未使用のＰＣカード型メモリ２４であるか否かを判断している。このため、万一、未使用のＰＣカード型メモリ２４と使用済みのＰＣカード型メモリ２４とを取り違えた場合であっても、使用済みのＰＣカード型メモリ２４にデータが上書きされることはない。換言すれば、未使用のＰＣカード型メモリ２４に交換された場合にのみ、ファイルのデータ及びファイルの管理情報が書き込まれる。従って、使用済みのＰＣカード型メモリ２４に交換された場合であっても、使用済みのＰＣカード型メモリ２４に既に記憶されているデータが消失されることはない。
【００４６】
（４）加えて、ＩＤファイルの有無に基づいて、未使用のＰＣカード型メモリ２４であるか否かを判断している。このため、ＩＤファイル内には、何もデータ等が書き込まれていなくても良い。つまり、ＩＤファイルのデータサイズは「０（ゼロ）」バイトで良い。従って、使用済みのＰＣカード型メモリ２４にＩＤファイルがあっても、ファイルのデータ及びファイルの管理情報を書き込む記憶容量が減少されることはほとんどない。
【００４７】
（５）交換後のＰＣカード型メモリ２４にＩＤファイルが書き込まれている場合、つまり未使用のＰＣカード型メモリ２４に交換されていない場合であって、転送先が画像メモリ１８の場合は、画像メモリ１８に記憶されているファイルのデータ及びファイルの管理情報が削除されている。このため、未使用のＰＣカード型メモリ２４に交換するときに使用済みのＰＣカード型メモリ２４と取り違えた場合であっても、使用済みのＰＣカード型メモリ２４に記憶しているデータと同一のデータが画像メモリ１８に長時間記憶されることはない。つまり、画像メモリ１８の記憶容量が長時間浪費されることはない。従って、取り違えた場合であっても、例えば送受信やコピー等の他の処理に影響を与えることはない。
【００４８】
（６）加えて、仮に画像メモリ１８からファイルのデータ及びファイルの管理情報を削除するように構成していない場合であって、例えばＰＣカード型メモリ２４の交換が２回行われた場合には、画像メモリ１８に２つのファイルのデータ及びファイルの管理情報が存在することとなる。このため、画像メモリ１８に記憶されることとなる２つのファイルのデータ及びファイルの管理情報のいずれを転送元のＰＣカード型メモリ２４に転送すれば良いかが不明確となる。そこで、これらの安全性をも考慮して、交換後のＰＣカード型メモリ２４にＩＤファイルが書き込まれている場合、つまり未使用のＰＣカード型メモリ２４に交換されていない場合は、あえて画像メモリ１８に記憶されているファイルのデータ及びファイルの管理情報を削除しているのである。従って、ＰＣカード型メモリ２４の交換時における安全性をも確実に確保することができる。
【００４９】
（７）一方、交換後のＰＣカード型メモリ２４にＩＤファイルが書き込まれている場合、つまり未使用のＰＣカード型メモリ２４に交換されていない場合であって、転送先がパソコン２の記憶部３６の場合は、ファクシミリ装置１からパソコン２に対して未使用のＰＣカード型メモリ２４に交換されていない旨を示すメッセージが送出される。その結果、パソコン２の表示部３５の画面上には、未使用のＰＣカード型メモリ２４に交換されていない旨を示すメッセージが表示される。従って、未使用のＰＣカード型メモリ２４に交換されていないことが分かる。
【００５０】
なお、前記実施形態は、次のように変更して具体化することも可能である。
・ファクシミリ装置１の電源が投入された場合であって、操作部１６又はパソコン２から画像メモリ１８又はパソコン２の記憶部３６に退避させたファイルのデータ及びファイルの管理情報を復旧させるための所定コマンドが入力された場合にのみ、図６に示すフローチャートを実行させるように構成しても良い。
【００５１】
・図６に示すステップＳ１８においては、未使用のＰＣカード型メモリ２４に交換されていない旨を示すメッセージをパソコン２に対して送出する構成であったが、これに代えて、パソコン２の記憶部３６に記憶されているファイルのデータ及びファイルの管理情報を、操作部１６からの指示により消去する構成にしても良い。
【００５２】
・図５に示すステップＳ４，５の処理を１つにまとめた処理、すなわちＰＣカード型メモリ２４のディレクトリ構造をそのまま、画像メモリ１８に転送する構成にしても良い。加えて、図５に示すステップＳ６，７の処理も同様にしても良い。
【００５３】
・前記実施形態において、操作部１６又はパソコン２からの指示に基づいて、使用済みの未使用のＰＣカード型メモリ２４に記憶されているファイルのデータ及びファイルの管理情報を、指示された転送先に転送する構成にしても良い。具体的には、図１に示すステップＳ１において、所定コマンドとともに、転送先を指示する構成にする。例えば、操作部１６からの指示において、転送先を特定のパソコン２（例えば管理者のパソコン２）に転送する場合やパソコン２からの指示において、画像メモリ１８に転送する場合等が考えられる。このように構成すれば、転送先を指示することができるので、例えばパソコン２にファイルのデータ及びファイルの管理情報を転送して、編集する場合等には簡便である。
【００５４】
・画像メモリ１８は、バックアップ電源に接続された画像メモリ１８であっても良い。
・また、画像メモリ１８は、ＤＤＲ（Double Data Rate）ＳＤＲＡＭであっても良い。
【００５５】
さらに、上記各実施形態等より把握される請求項以外の技術的思想について、以下にそれらの効果と共に記載する。
〔１〕寿命になった記憶手段に記憶されたデータを、他の記憶手段に転送するとともに、電源が切断された後に使用済みの記憶手段が未使用の寿命のある記憶手段に交換されて電源が投入された場合には、転送先の他の記憶手段に記憶されているデータを未使用の寿命のある記憶手段に転送する制御手段を備えたメモリ制御装置。
【００５６】
このように構成すれば、寿命になった記憶手段の交換時において、寿命になった記憶手段に記憶されたデータを、交換後の未使用の寿命のある記憶手段に受継することができる。
【００５７】
〔２〕制御手段は、寿命のある記憶手段に特定のファイルが書き込まれている場合は、他の記憶手段に記憶されているデータを削除するメモリ制御装置。
【００５８】
このように構成すれば、他の記憶手段の記憶容量が浪費されることがないため、例えば送受信やコピー等の他の処理に影響を与えることはない。
【００５９】
【発明の効果】
本発明は、以上のように構成されているため、次のような効果を奏する。
請求項１に記載の発明によれば、第１の記憶手段の交換時において、第１の記憶手段に記憶されたデータを、交換後の記憶手段に受継することができる。
【００６０】
請求項２に記載の発明によれば、第１の記憶手段が未使用の記憶手段に交換されていないことが分かる。
【図面の簡単な説明】
【図１】通信ネットワークシステムの構成を示すブロック図。
【図２】ファクシミリ装置の構成を示すブロック図。
【図３】ネットワークインターフェースの構成を示すブロック図。
【図４】パソコンの構成を示すブロック図。
【図５】ファクシミリ装置のＰＣカード型メモリを交換するときの動作を示すフローチャート。
【図６】ファクシミリ装置の電源が投入されたときの動作を示すフローチャート。
【符号の説明】
１…メモリ制御装置としてのファクシミリ装置、１１…制御手段を構成するＭＰＵ、１２…制御手段を構成するＲＯＭ、１３…制御手段を構成するＲＡＭ、１８…他の記憶手段としての画像メモリ、２４…記憶手段としてのＰＣカード型メモリ、３６…他の記憶手段としての記憶部。
【図１】
0003697978.tif 000002
【図２】
0003697978.tif 000003
【図３】
0003697978.tif 000004
【図４】
0003697978.tif 000005
【図５】
0003697978.tif 000006
【図６】
0003697978.tif 000007